(57)【特許請求の範囲】
【請求項１】
水槽と、該水槽内に回転可能に配設されたドラムと、該ドラムに収容された洗濯物を乾燥するためのヒータと、前記水槽内の異常温度を検知する温度検知手段とを備え、該温度検知手段により乾燥運転中或いは乾燥運転終了後に異常温度を検知した場合に、異常報知を行うドラム式乾燥洗濯機であって、
洗濯物を前記ドラムに出し入れするためのドアと、該ドアの開閉状態を検知する開閉検知手段とを備え、乾燥運転終了後の前記水槽内の温度検知中に、前記ドアが開いた事を前記開閉検知手段により検知したときに、前記温度検知を終了する事を特徴とするドラム式乾燥洗濯機。
【請求項２】
水槽と、該水槽内に回転可能に配設されたドラムと、該ドラムに収容された洗濯物を乾燥するためのヒータと、前記水槽内の異常温度を検知する温度検知手段とを備え、該温度検知手段により乾燥運転中或いは乾燥運転終了後に異常温度を検知した場合に、異常報知を行うドラム式乾燥洗濯機であって、
洗濯物を前記ドラムに出し入れするためのドアと、該ドアの開閉状態を検知する開閉検知手段とを備え、乾燥運転終了後の前記水槽内の温度検知中に、前記ドアが開いてから再び閉じた事を前記開閉検知手段により検知したときに、前記温度検知を終了する事を特徴とするドラム式乾燥洗濯機。
【請求項３】
水槽と、該水槽内に回転可能に配設されたドラムと、該ドラムに収容された洗濯物を乾燥するためのヒータと、前記水槽内の異常温度を検知する温度検知手段とを備え、該温度検知手段により乾燥運転中或いは乾燥運転終了後に異常温度を検知した場合に、異常報知を行うドラム式乾燥洗濯機であって、
前記温度検知手段を、前記水槽上で該水槽の中心より上部の周壁に取り付けた事を特徴とするドラム式乾燥洗濯機。
【請求項４】
水槽と、該水槽内に回転可能に配設されたドラムと、該ドラムに収容された洗濯物を乾燥するためのヒータと、前記水槽内の異常温度を検知する温度検知手段とを備え、該温度検知手段により乾燥運転中或いは乾燥運転終了後に異常温度を検知した場合に、異常報知を行うドラム式乾燥洗濯機であって、
乾燥運転中或いは乾燥運転終了後に前記水槽内において異常温度を検知した場合に、該水槽内に給水し、所定時間経過後に給水を停止する事を特徴とするドラム式乾燥洗濯機。
【請求項５】
前記温度検知手段を、前記水槽上で該水槽の中心より上部の周壁に取り付けた事を特徴とする請求項１又は請求項２に記載のドラム式乾燥洗濯機。
【請求項６】
乾燥運転中或いは乾燥運転終了後に前記水槽内において異常温度を検知した場合に、該水槽内に給水し、所定時間経過後に給水を停止する事を特徴とする請求項１乃至請求項３のいずれかに記載のドラム式乾燥洗濯機。
【請求項７】
前記水槽内の水位を検知する水位検知手段を備え、該水位検知手段により所定の水位を検知したときに、前記給水を停止する事を特徴とする請求項４に記載のドラム式乾燥洗濯機。
【請求項８】
前記給水中に前記ドラムを回転させる事を特徴とする請求項４又は請求項７に記載のドラム式乾燥洗濯機。
【請求項９】
前記水槽より排出される水を該水槽に再供給する循環ポンプを備え、前記給水中に該循環ポンプを動作させる事を特徴とする請求項４又は請求項７又は請求項８に記載のドラム式乾燥洗濯機。
【発明の詳細な説明】
【０００１】
【発明の属する技術分野】
本発明は、乾燥手段を備えた機器、中でも、洗濯物をドラムに収容したまま、洗濯から乾燥までの全工程を処理する事が可能なドラム式乾燥洗濯機に関するものであり、特に、乾燥運転中或いは運転終了後の水槽内の温度異常を検知し、異常時に自動的に異常報知及び消火動作を行う事を可能とするドラム式乾燥洗濯機に関するものである。
【０００２】
【従来の技術】
従来より、ドラム式乾燥洗濯機は、ドラムが水槽内で水平軸を中心に回転する構造が主流となっており、洗濯から乾燥までを同一のドラムで行う事ができるため、洗濯，脱水から乾燥までの機能を兼ね備えたドラム式乾燥洗濯機の代表的なものとなっている。この従来のドラム式乾燥洗濯機の概略の構成を以下に説明する。
【０００３】
図９は、従来のドラム式乾燥洗濯機の一例を示す側面縦断面図であり、図１０は同じく正面縦断面図である。これらの図に示すように、このドラム式乾燥洗濯機は、主として、外箱１の内側にバネで吊り下げられた水槽２と、この水槽２の内側で水平軸を中心に回転するように配されたドラム３との二重構造となっている。水槽２は、運転中の振動を吸収するためにバネで吊り下げられているものであり、また、洗濯液や脱水液を貯え、且つ排出する機能を有している。
【０００４】
ドラム３の周壁全体には、洗濯時の給水，脱水時の排水，及び乾燥時の温風を通過させるために、多数の小孔４が設けられている。また、水槽２の上部には乾燥用ヒータ５が取り付けられており、さらに、乾燥時に温風を循環させるための送風機６及び循環用ダクト７が設けられている。
【０００５】
また、この乾燥洗濯機の正面には洗濯物を出し入れするためのドア８が設けられており、このドア８を閉じて水槽２との間のドアパッキン９を挟み込む事により、水槽２の洗濯物投入口を密閉する構造となっている。また、１０はドラム３を回転させるための駆動モータ、１１は洗濯液等を機外に排出するための排水弁、１３は水槽２と排水弁１１との間の配管経路に設けられた糸屑フィルタである。尚、この乾燥洗濯機の正面上部には操作・表示部２０が設けられており、この裏側内部に制御回路２１が取り付けられている。
【０００６】
上記のような構成を備えたドラム式乾燥洗濯機においては、制御回路２１の制御動作により、通常はドラム３内に洗濯物を収容したままの状態で、洗い→すすぎ→脱水→乾燥の順で全ての工程を連続的に実行する事ができ、また、それぞれの工程を独立して実行する事も可能である。以下、それぞれの工程における動作の流れについて説明する。
【０００７】
まず、洗い工程は、ドラム３内に洗濯物を入れて給水弁１８を開き、洗剤を溶かした洗濯液を上方から流し込んで洗濯物に含ませ、ドラム３を低速回転させる事により行われる。ドラム３内の洗濯物は、ドラム３の回転による遠心力と、ドラム３内周面数カ所に設けられたバッフル１７とにより、ドラム３内の頂上付近まで持ち上げられた後、自重により落下する。これをタンブリングという。このタンブリングを繰り返す事により、洗濯物は落下時の衝撃力でタタキ洗いされる。
【０００８】
尚、洗濯液の水位は、糸屑フィルタ１３の上部に設けられたエアートラップ３９内の圧力変化として検出し、その圧力変化を導圧パイプ４０を介して水位センサ１２に伝達し、水位として検知する。また、すすぎ工程は洗剤を使わない状態で、洗濯工程と同様にして行われる。ところで、１４は洗い時の洗濯液やすすぎ時の水を、循環水としてドラム内に再供給する循環水供給口であり、一旦糸屑フィルタ１３を通過した前記循環水を、循環ポンプ３８により循環させ、この循環水供給口１４からドラム３内に循環供給している。
【０００９】
また、温水洗いを行う場合は、水槽２の底部に固定されている温水ヒータ１９により水槽２内の水を加熱し、後部に設けられている例えばサーミスタより成る水温センサ１５で水温を検知し、温水ヒータ１９にフィードバックして水温制御を行う。そして、脱水工程は、ドラム３を高速回転させ、その遠心力を利用して洗濯物をドラム３の周壁内面に押し付けるような状態で行われる。この時、洗濯物に含まれていた水は、ドラム３の小孔４から周囲に飛ばされ、水槽２の内壁を伝ってその下部に導かれ、排水弁１１を経て機外に排出される。
【００１０】
乾燥工程は、乾燥用ヒータ５により加熱されて高温となった空気を、送風機６により循環用ダクト７を通して水槽２内に吹き込みながら、ドラム３を低速回転させる事により行われる。乾燥用ヒータ５により加熱されて高温となった水槽２内の空気は、ドラム３の回転により撹拌され、水槽２内部全体の温度を上昇させて、ドラム３内の洗濯物に含まれる水分を蒸発させる。ここで高温多湿状態となった空気は、水槽２上部の出口から循環用ダクト７に入り込み、乾燥用ヒータ５に達するまでに冷却水と直接接触して水分が凝縮され、その水分を機外に排出する事により除湿される。
【００１１】
除湿された空気は、再び乾燥用ヒータ５により加熱され、水槽２内に吹き込まれるというサイクルを繰り返す事により、洗濯物は乾燥される。乾燥工程が終了すれば、短時間の送風運転を行った後に、運転を終了する。このように、従来より、洗濯物の洗いから乾燥までを一貫して行う事ができるドラム式乾燥洗濯機が実現されている。
【００１２】
ところが、上記従来のドラム式乾燥洗濯機、或いは乾燥専用の衣類乾燥機においては、上述のように、乾燥運転用としてヒータ等による加熱装置を備えており、熱風を機内に供給しているので、常に火災に対する危険性をはらんでいる。また、乾燥運転終了後には短時間の送風運転を行うが、衣類の充分な冷却までには至らないので、衣類を取り出さずに暖かい状態で機内に放置した場合、衣類が積み重なった部分の内部で異常発熱し、衣類に付着していた食用油や化学薬品と反応して自然発火を起こし、火災の原因となる恐れがある。また、異常を使用者に知らせる手段がないため、被害が大きくなる可能性がある。
【００１３】
このような問題に対処するために、従来より様々な対策が講じられている。例えば、特開平２−７４３００号公報に記載されている如く、衣類乾燥機において、乾燥運転終了後の衣類の温度を検知し、異常温度を検知した場合はドラムを回転させ、衣類をタンブリングさせる構成としている。また、特開平７−８６９１号公報に記載されている如く、衣類乾燥機において、乾燥運転終了後に行うドラムの間欠運転を、温度条件に応じて必要なだけ行う構成としている。
【００１４】
或いは、特開平５−１３７８９７号公報に記載されている如く、衣類乾燥機において、異常温度を検知した場合に、遠隔操作で自動消火装置を作動させる構成としている。また、特開昭６１−１２２８９８号公報に記載されている如く、異常温度を検知した場合に、給水バルブを作動させて給水し、消火させる構成としている。
【００１５】
【発明が解決しようとする課題】
しかしながら、上記特開平２−７４３００号公報或いは特開平７−８６９１号公報に記載されているような構成では、いずれも充分な制御手段を有しておらず、万一発火した場合には手の打ちようがない。また、上記特開平５−１３７８９７号公報に記載されているような構成では、設備に費用がかかり、また、消火装置の設置スペースが必要であるので、一般家庭用としては問題が残る。また、上記特開昭６１−１２２８９８号公報に記載されているような構成では、給水を停止する機能がなく、夜間等における異常発生時で、使用者が認識できなかったときには、浸水などの二次災害を誘発する可能性があり、実施するには問題が残る。
【００１６】
本発明は、上記問題点を解消し、簡単な構成で、コストアップする事なしに、乾燥運転終了後の異常温度検知及び異常報知を正確，迅速に行う事ができ、さらには給水の開始，停止を自動的に行って消火作業をする事が可能なドラム式乾燥洗濯機或いは乾燥手段を備えた機器を提供する事を目的とする。
【００１７】
【課題を解決するための手段】
上記目的を達成するために、本発明では、水槽と、その水槽内に回転可能に配設されたドラムと、そのドラムに収容された洗濯物を乾燥するためのヒータと、前記水槽内の異常温度を検知する温度検知手段とを備え、その温度検知手段により乾燥運転中或いは乾燥運転終了後に異常温度を検知した場合に、異常報知を行う構成であって、
洗濯物を前記ドラムに出し入れするためのドアと、そのドアの開閉状態を検知する開閉検知手段とを備え、乾燥運転終了後の前記水槽内の温度検知中に、前記ドアが開いた事を前記開閉検知手段により検知したときに、前記温度検知を終了する構成とする。
【００１９】
或いは、水槽と、その水槽内に回転可能に配設されたドラムと、そのドラムに収容された洗濯物を乾燥するためのヒータと、前記水槽内の異常温度を検知する温度検知手段とを備え、その温度検知手段により乾燥運転中或いは乾燥運転終了後に異常温度を検知した場合に、異常報知を行う構成であって、
洗濯物を前記ドラムに出し入れするためのドアと、そのドアの開閉状態を検知する開閉検知手段とを備え、乾燥運転終了後の前記水槽内の温度検知中に、前記ドアが開いてから再び閉じた事を前記開閉検知手段により検知したときに、前記温度検知を終了する構成とする。
【００２０】
そして、前記温度検知手段を、前記水槽上でその水槽の中心より上部の周壁に取り付けた構成とする。
【００２１】
また、乾燥運転中或いは乾燥運転終了後に前記水槽内において異常温度を検知した場合に、その水槽内に給水し、所定時間経過後に給水を停止する構成とする。或いは、前記水槽内の水位を検知する水位検知手段を備え、その水位検知手段により所定の水位を検知したときに、前記給水を停止する構成とする。さらに、前記給水中に前記ドラムを回転させる構成とする。また、前記水槽より排出される水をその水槽に再供給する循環ポンプを備え、前記給水中にその循環ポンプを動作させる構成とする。
【００２３】
【発明の実施の形態】
以下、本発明の実施の形態について、図面を参照しながら説明する。図１は、本発明によるドラム式乾燥洗濯機の外観を示す斜視図である。同図において、１は外箱であり、正面に設けられた８は洗濯物を出し入れするためのドア、正面上部に設けられた２０は操作・表示部である。
【００２４】
図２は、本発明のドラム式乾燥洗濯機の一実施例を示す側面縦断面図であり、図３は同じく正面縦断面図である。これらの図より明らかなように、本発明のドラム式乾燥洗濯機の基本構成は、上記従来のドラム式乾燥洗濯機と類似したものとなっている。改めて主要部分の構成を説明すると、これらの図に示すように、このドラム式乾燥洗濯機は、主として、外箱１の内側にバネで吊り下げられた水槽２と、この水槽２の内側で水平軸を中心に回転するように配されたドラム３との二重構造となっている。
【００２５】
水槽２は、洗い，すすぎ，脱水，乾燥の各運転動作中の振動を吸収するためにバネで吊り下げられているものであり、また、洗濯液や脱水液を貯え、且つ排出する機能を有している。ドラム３の周壁全体には、洗濯時の給水，脱水時の排水，及び乾燥時の温風を通過させるために、多数の小孔４が設けられている。また、水槽２の上部には乾燥用ヒータ５が取り付けられており、さらに、乾燥時に温風を循環させるための送風機６及び循環用ダクト７が設けられている。
【００２６】
また、この乾燥洗濯機の正面には洗濯物を出し入れするためのドア８が設けられており、このドア８を閉じて水槽２との間のドアパッキン９を挟み込む事により、水槽２の洗濯物投入口を密閉し、洗濯水や乾燥中の温風が機外に漏れないようにする構造となっている。また、ドア８に対向する外箱１には、ドアの開閉を検知する検知手段を有した図示しないドアスイッチ１６が取り付けられている。
【００２７】
また、１０はドラム３を回転させるための駆動モータ、１１は洗濯液等を機外に排出するための排水弁、１３は水槽２と排水弁１１との間の配管経路に設けられた糸屑フィルタである。糸屑フィルタ１３は、外箱１の前面下部から取り外し可能な構成となっている。尚、ドラム３内周面数カ所にはバッフル１７が設けられている。また、この乾燥洗濯機の正面上部には操作・表示部２０が設けられており、この裏側内部に制御回路２１が取り付けられている。
【００２８】
尚、洗濯液の水位は、糸屑フィルタ１３の上部に設けられたエアートラップ３９内の圧力変化として検出し、その圧力変化を導圧パイプ４０を介して水位センサ１２に伝達し、水位として検知する。また、１４は洗い時の洗濯液やすすぎ時の水を、循環水としてドラム内に再供給する循環水供給口であり、一旦糸屑フィルタ１３を通過した前記循環水を、循環ポンプ３８により循環させ、この循環水供給口１４からドラム３内に循環供給している。
【００２９】
図４は、本実施形態に係るドラム式乾燥洗濯機の制御系の構成を示すブロック図である。同図に示すように、破線で囲まれた制御回路２１の主要部分となるのは、更に一点鎖線で囲まれたマイクロコンピュータ２２であり、これはＣＰＵ２３，ＲＡＭ２４，ＲＯＭ２５，タイマー２６，システムバス２７，及び複数のＩ／Ｏポート２８で構成されている。また、このマイクロコンピュータ２２は、制御回路２１内の電源回路３１から電源端子ＶＤＤ，ＶＳＳに定電圧を供給される事により動作し、リセット回路３２からＲＥＳＥＴ端子に信号を入力する事ができるようになっている。
【００３０】
また、ＣＰＵ２３は、制御部２９と演算部３０とで構成されている。この制御部２９は、ＲＯＭ２５に記憶されている命令を取り出すとともにそれを実行し、一方、演算部３０は、命令の実行段階で、制御部２９から与えられる制御信号に基づいて、各種入力機器やＲＡＭ２４から入力されるデータに対し、二進加算，論理演算，増減，比較等の演算を行う。そのため、ＲＯＭ２５には各種機器を動作させるための手段、各種判断のために設定された条件、各種情報を処理するためのルール等を予め記憶させている。
【００３１】
また、マイクロコンピュータ２２には、図示しない各種操作スイッチに接続された入力キー回路３３、及び水位センサ１２，水温センサ１５，ドアスイッチ１６，及び後述の異常温度センサ４１に接続された状態検知回路３４から、複数のＩ／Ｏポート２８を介して信号が入力され、これに基づいて演算を行い、表示装置駆動回路３５，ブザー駆動回路３６，負荷駆動回路３７を出力制御する。
【００３２】
ここで、表示装置駆動回路３５は、上述の操作・表示部２０に設けられた表示装置を駆動するものであり、ブザー駆動回路３６は、キー入力完了時，運転終了時，及び異常時に図示しないブザーを鳴らして、使用者にその旨を伝えるためのものである。尚、負荷駆動回路３７には、排水弁１１，送風機６，駆動モータ１０，給水弁１８，乾燥用ヒータ５，温水ヒータ１９，及び循環ポンプ３８が接続されている。これらの配置及び働きについては、上記従来の技術或いは実施の形態の中で説明した通りである。
【００３３】
以下、本実施形態に係る主な制御動作について、フローチャートを参照しながら説明する。図６は、第１の実施例を示すフローチャートである。同図に示すように、まず、運転が終了した時点で、ステップ＃５において、乾燥運転の終了か否かをマイクロコンピュータ２２により判定し、乾燥運転の終了であればステップ＃１０に移行し、マイクロコンピュータ２２のタイマー２６をセットする。続いてステップ＃１５に移行してタイマーカウントを行い、ステップ＃２０において所定時間（例えば１時間）タイマーカウントされたか否かを判定する。
【００３４】
所定時間タイマーカウントされていなければ、ステップ＃２５に移行し、図２，図３に示す水槽２において、中心より上部の周壁に取り付けられた温度検知手段である例えばサーミスタより成る異常温度センサ４１、又は上記水温センサ１５により、水槽２内の温度を検知する。続いてステップ＃３０に移行し、設定した異常温度（例えば１００℃）以上を検知したか否かを判定し、検知していなければステップ＃１５に戻る。
【００３５】
上記ステップ＃５において乾燥運転の終了でないときは、乾燥運転を含まないコースでの運転終了であると判断し、ステップ＃３５に移行して電源オートオフ制御を行い、続いてステップ＃４０で電源を遮断する。この電源オートオフ制御は、本発明には直接関係のないものである。また、上記ステップ＃２０において所定時間タイマーカウントされたときもステップ＃３５に移行し、同様の制御を行う。
【００３６】
上記ステップ＃３０において、温度検知中に水槽２内の衣類の発火などの異常により、設定した異常温度以上を検知した場合は、ステップ＃４５に移行し、異常報知を行う。本実施形態においては、設定した異常温度以上か否かを判定基準としているが、例えば２０℃以上の温度上昇を検知した場合等で示される温度変化率を判定基準とする事も可能である。また、異常報知の手段としては、例えばブザー音による報知や、上記表示・操作部２０による図５に示す如き表示がある。
【００３７】
引き続きステップ＃５０に移行し、給水手段である上記給水弁１８を動作させて水槽２内に給水し、発火した衣類の消火作業を行う。続いてステップ＃５５に移行し、マイクロコンピュータ２２のタイマー２６をセットし、ステップ＃６０においてタイマーカウントを行う。そして、ステップ＃６５において、水位センサ１２により水槽２内の水位を検知させる。
【００３８】
また、さらにはステップ＃７０において、ドラム３を回転させる。これにより、衣類に水を効率よく吸水させ、消火させる事ができる。また、ステップ＃７５において、給水を開始してから一定時間後に、循環ポンプ３８を動作させ、衣類に上部から水を吹きかける。これにより、更に効果的に衣類の消火を行う事ができ、短時間での消火作業を行う事ができる。
【００３９】
引き続きステップ＃８０に移行し、所定時間（例えば１０分間）タイマーカウントされたか否かを判定し、タイマーカウントされていなければステップ＃８５に移行する。ステップ＃８５において、水位センサ１２が所定の水位を検知したか否かを判定し、検知していなければステップ＃６０に戻る。
【００４０】
ステップ＃８０において所定時間タイマーカウントされていれば、或いはステップ＃８５において所定の水位を検知していれば、ステップ＃９０に移行し、給水手段を停止する。さらに、ステップ＃９５に移行し、ドラム３の回転及び循環ポンプ３８の動作を停止し、ステップ＃１００に移行して電源オートオフ制御を行い、続いてステップ＃１０５で電源を遮断する。
【００４１】
図７は、第２の実施例を示すフローチャートである。同図に示すように、まず、運転が終了した時点で、ステップＳ５において、乾燥運転の終了か否かをマイクロコンピュータ２２により判定し、乾燥運転の終了であればステップＳ１０に移行する。ステップＳ１０において、上記ドアスイッチ１６からのドアの開閉状態を検知する信号をマイクロコンピュータ２２に入力し、ドア開を検知したか否かを判定する。ドア開を検知していなければステップＳ１５に移行し、上記異常温度センサ４１、又は上記水温センサ１５により、水槽２内の温度を検知する。続いてステップＳ２０に移行し、設定した異常温度以上を検知したか否かを判定し、検知していなければステップＳ１０に戻る。
【００４２】
上記ステップＳ５において乾燥運転の終了でないときは、第１の実施例と同様にして、乾燥運転を含まないコースでの運転終了であると判断し、ステップＳ２５に移行して電源オートオフ制御を行い、続いてステップＳ３０で電源を遮断する。また、上記ステップＳ１０においてドア開を検知したときもステップＳ２５に移行し、同様の制御を行う。
【００４３】
上記ステップＳ２０において、温度検知中に水槽２内の衣類の発火などの異常により、設定した異常温度以上を検知した場合は、ステップＳ３５に移行し、ブザーや表示などによる異常報知を行う。引き続きステップＳ４０に移行し、給水手段である上記給水弁１８を動作させて水槽２内に給水し、発火した衣類の消火作業を行う。続いてステップＳ４５に移行し、マイクロコンピュータ２２のタイマー２６をセットし、ステップＳ５０においてタイマーカウントを行う。そして、ステップＳ５５において、水位センサ１２により水槽２内の水位を検知させる。
【００４４】
また、さらにはステップＳ６０において、ドラム３を回転させる。これにより、衣類に水を効率よく吸水させ、消火させる事ができる。また、ステップＳ６５において、給水を開始してから一定時間後に、循環ポンプ３８を動作させ、衣類に上部から水を吹きかける。これにより、更に効果的に衣類の消火を行う事ができ、短時間での消火作業を行う事ができる。
【００４５】
引き続きステップＳ７０に移行し、所定時間（例えば１０分間）タイマーカウントされたか否かを判定し、タイマーカウントされていなければステップＳ７５に移行する。ステップＳ７５において、水位センサ１２が所定の水位を検知したか否かを判定し、検知していなければステップＳ５０に戻る。
【００４６】
ステップＳ７０において所定時間タイマーカウントされていれば、或いはステップＳ７５において所定の水位を検知していれば、ステップＳ８０に移行し、給水手段を停止する。さらに、ステップＳ８５に移行し、ドラム３の回転及び循環ポンプ３８の動作を停止し、ステップＳ９０に移行して電源オートオフ制御を行い、続いてステップＳ９５で電源を遮断する。
【００４７】
図８は、第３の実施例を示すフローチャートである。同図に示すように、まず、運転が終了した時点で、ステップＰ５において、乾燥運転の終了か否かをマイクロコンピュータ２２により判定し、乾燥運転の終了であればステップＰ１０に移行する。ステップＰ１０において、上記ドアスイッチ１６からのドアの開閉状態を検知する信号をマイクロコンピュータ２２に入力し、ドア開を検知したか否かを判定する。ドア開を検知していなければステップＰ１５に移行し、上記異常温度センサ４１、又は上記水温センサ１５により、水槽２内の温度を検知する。続いてステップＰ２０に移行し、設定した異常温度以上を検知したか否かを判定し、検知していなければステップＰ１０に戻る。
【００４８】
上記ステップＰ５において乾燥運転の終了でないときは、第１の実施例と同様にして、乾燥運転を含まないコースでの運転終了であると判断し、ステップＰ３０に移行して電源オートオフ制御を行い、続いてステップＰ３５で電源を遮断する。また、上記ステップＰ１０においてドア開を検知したときはステップＰ２５に移行し、ドア閉を検知したか否かを判定して、検知していればステップＳ３０に移行し、同様の制御を行う。検知していなければステップＰ１０に戻る。
【００４９】
上記ステップＰ２０において、温度検知中に水槽２内の衣類の発火などの異常により、設定した異常温度以上を検知した場合は、ステップＰ４０に移行し、ブザーや表示などによる異常報知を行う。引き続きステップＰ４５に移行し、給水手段である上記給水弁１８を動作させて水槽２内に給水し、発火した衣類の消火作業を行う。続いてステップＰ５０に移行し、マイクロコンピュータ２２のタイマー２６をセットし、ステップＰ５５においてタイマーカウントを行う。そして、ステップＰ６０において、水位センサ１２により水槽２内の水位を検知させる。
【００５０】
また、さらにはステップＰ６５において、ドラム３を回転させる。これにより、衣類に水を効率よく吸水させ、消火させる事ができる。また、ステップＰ７０において、給水を開始してから一定時間後に、循環ポンプ３８を動作させ、衣類に上部から水を吹きかける。これにより、更に効果的に衣類の消火を行う事ができ、短時間での消火作業を行う事ができる。
【００５１】
引き続きステップＰ７５に移行し、所定時間（例えば１０分間）タイマーカウントされたか否かを判定し、タイマーカウントされていなければステップＰ８０に移行する。ステップＰ８０において、水位センサ１２が所定の水位を検知したか否かを判定し、検知していなければステップＰ５５に戻る。
【００５２】
ステップＰ７５において所定時間タイマーカウントされていれば、或いはステップＰ８０において所定の水位を検知していれば、ステップＰ８５に移行し、給水手段を停止する。さらに、ステップＰ９０に移行し、ドラム３の回転及び循環ポンプ３８の動作を停止し、ステップＰ９５に移行して電源オートオフ制御を行い、続いてステップＰ１００で電源を遮断する。
【００５３】
尚、上述のフローチャートにこだわらず、乾燥運転中に異常温度を検知したときに、異常報知或いは消火作業を行う構成としても良い。また、これまで説明した構成は、乾燥洗濯機にこだわるものではなく、乾燥手段を備えた機器全般に応用する事ができる。
【００５４】
【発明の効果】
以上説明したように、本発明によれば、簡単な構成で、コストアップする事なしに、乾燥運転終了後の異常温度検知及び異常報知を正確，迅速に行う事ができ、さらには給水の開始，停止を自動的に行って消火作業をする事が可能なドラム式乾燥洗濯機を提供する事ができる。特に、請求項１或いは請求項２によるならば、乾燥運転中或いは乾燥運転終了後に異常温度を検知した場合、異常報知を行うので、使用者に異常を素早く知らせる事ができ、火災の被害を最小限に止める事ができるとともに、使用者が衣類を取り出すまでの不確定な時間に温度検知を行う事ができるため、確実な異常検知を行う事ができる。
【００５５】
また、請求項３，５によるならば、衣類が発火した場合に生じる、上昇する熱気を正確に且つ敏速に検知する事ができるので、異常をより早く報知する事ができ、火災の被害を最小限に止める事ができる。
【００５６】
また、請求項４，６によるならば、給水開始から一定時間経過後に給水を停止するため、溢水による漏水を防ぎ、二次災害を防止する事ができる。また、請求項７によるならば、給水停止を設定水位検知により行うため、給水量の多少に関係なく、水槽内に一定量の給水を行う事が可能となり、溢水による漏水を防ぎ、二次災害を防止する事ができる。
【００５７】
また、請求項８によるならば、給水中にドラムを回転させるため、発火した衣類に短時間で満遍無く水を接触させる事ができ、効果的な消火作業が可能となる。また、請求項９によるならば、給水中に循環ポンプを動作させるため、発火した衣類に上部から放水する事ができ、効果的な消火作業が可能となる。
【図面の簡単な説明】
【図１】本発明によるドラム式乾燥洗濯機の外観を示す斜視図。
【図２】本発明のドラム式乾燥洗濯機の一実施例を示す側面縦断面図。
【図３】本発明のドラム式乾燥洗濯機の一実施例を示す正面縦断面図。
【図４】本実施形態に係るドラム式乾燥洗濯機の制御系の構成を示すブロック図。
【図５】表示・操作部による異常報知の表示例を示す図。
【図６】第１の実施例を示すフローチャート。
【図７】第２の実施例を示すフローチャート。
【図８】第３の実施例を示すフローチャート。
【図９】従来のドラム式乾燥洗濯機の一例を示す側面縦断面図。
【図１０】従来のドラム式乾燥洗濯機の一例を示す正面縦断面図。
【符号の説明】
１    外箱
２    水槽
３    ドラム
４    小孔
５    乾燥用ヒータ
６    送風機
７    循環用ダクト
８    ドア
９    ドアパッキン
１０    駆動モータ
１１    排水弁
１２    水位センサ
１３    糸屑フィルタ
１４    循環水供給口
１５    水温センサ
１６    ドアスイッチ
１７    バッフル
１８    給水弁
１９    温水ヒータ
２０    操作・表示部
２１    制御回路
２２    マイクロコンピュータ
２３    ＣＰＵ
２４    ＲＡＭ
２５    ＲＯＭ
２６    タイマー
２７    システムバス
２８    Ｉ／Ｏポート
２９    制御部
３０    演算部
３１    電源回路
３２    リセット回路
３３    入力キー回路
３４    状態検知回路
３５    表示装置駆動回路
３６    ブザー駆動回路
３７    負荷駆動回路
３８    循環ポンプ
３９    エアートラップ
４０    導圧パイプ
４１    異常温度センサ
【図１】
0003568769.tif 000002
【図２】
0003568769.tif 000003
【図３】
0003568769.tif 000004
【図４】
0003568769.tif 000005
【図５】
0003568769.tif 000006
【図６】
0003568769.tif 000007
【図７】
0003568769.tif 000008
【図８】
0003568769.tif 000009
【図９】
0003568769.tif 000010
【図１０】
0003568769.tif 000011